(57)【要約】【課題】シーソーの中央を少しＶの字にした装置で往復する波力を両端の板で受け交互に違った動きを、回転力に変えて、発電する、シーソー型波力発電装置を提供する。【解決手段】波力を海水受板を使って動くシーソーの形状にした物で両端に海水受板を取り付た装置が簡単で有り、往復の波力を、シーソーの両端で違った動きとして、別々の力を同時に取り、クランクシャフトを使って海面上の装置に上下の運動の力を、一定の向きに変えた回転力にする装置で、回転比率を上げて発電高率を上げる装置で有る。【選択図】図３
2011169223.tif 000002
【特許請求の範囲】
【請求項１】
シーソーの形の中央支点を少しＶの字に折り、角度をシーソー型装置の有する角度とした、波力を受ける装置で海水の往復の運動を、シーソーの両端に取り付けた海水受板が海水の力により、シーソー本体の両端が、上へと、下へと、反対の動きをする事で、海水の流れる方向で変るがシーソーの動きで下った方の海水受板の下の面には押し上げる海水の力が掛り、又反対側の上ったほうの海水受板の上の面には押し下げる力が掛り、海水の流れが変れば又海水受板が逆の動きと成り、両方の海水受板に、上下の別々の力でシーソー本体が動く力を、クランクを使って回転力に変えた、変速機付発電機で回転比率を上げて、発電効率を上げた、シーソー型波力発電装置。
【請求項２】
クランクの、上死点と下死点で回転が一時的に途切れる恐れが有るので、回転をフライホイルを使って円滑な回転と回転力を安定させた、請求項１、記載のシーソー型波力発電装置。
【発明の詳細な説明】
【技術分野】
【０００１】
本発明は、装置の下半分を海中に、上半分を海面上に設置して、波力を利用して電気を得る発電装置に関する物で有る。
【背景技術】
【０００２】
従来の波力による発電装置は、海面の上下運動による空気圧利用の、タービンや海水の往復の流れを直接利用して、回転させ発電する物が有るが、特許文献１、に記載されている、波力による往復の海水の流れを装置内に入れ込んで、４個の弁を使って一方向に回転して発電する装置で有るが、小型の装置には良いが大型の装置には不向きで有る。
【０００３】
従来の波力による発電装置は、特許文献２、に記載されている様に、海面の上下に動く空気圧によってタービンの羽根が一定の間を自在に動き、一方向に回転させて発電する事ができて構造も簡単で有るが小型の装置には良いが、大型の装置には不向きである。
【先行技術文献】
【特許文献】
【０００４】
【特許文献１】特開２００３−１２０４９９号公報
【特許文献２】特開平１０−２８８１３９号公報
【発明の概要】
【発明が解決しようとする課題】
【０００５】
上記、特許文献１、２、記載の波力発電装置は、海中の波の往復運動や、海面の上下運動の空気圧を、一方向の回転に変えて発電するが、更なる発電効率と簡単な構造の大型化による発電量の増大を望まれる。
【０００６】
本発明は、波力発電装置が簡単な構造で有りながら強度が有り、海水の往復の動きをする波力を直接受ける、シーソー型の中央支点を少しＶ字に折った、シーソー形式の上下に動く力を、一方向の回転に変えて、発電する大型の、シーソー型波力発電装置を提供する。
【課題を解決するための手段】
【０００７】
上記載した、課題を解決する為に、本発明は、シーソーの中央の支点を少しＶの字に折り、波力を受ける海水受板を、シーソーの両端に取り付た。シーソーの片方が上に上がる時は、海水がシーソーの中央に向って流れ海水受板の下側の傾斜面に当り、上へと海水受板が押し上げられる。又反対側の海水受板の上側の傾斜面には、シーソーの中央から放れる海水が当り、海水受板が押し下げられる、又逆の海水の流れの時は、上った海水受板の上側の傾斜面には下へ押し下げられる力が掛り、反対の下った海水受板の下側の傾斜面には押し上げられる力が掛る。
海水の往復の流れでシーソーの連続した、上下、の動きを、クランクシャフトを使って海面上のクランクに上下の動きを伝えた、クランクによりクランク軸で回転に変えて、変速機付発電機で回転比率を上げて、発電する装置とした物で有る。
【０００８】
シーソー本体の中央の角度を１３５°〜１６０°の間の角度とした、シーソー本体の中央の角度を１３４°以下にすると、海が荒れた時にはシーソー本体の傾きにより海水受板が最上に成った時強力な海水が海水受板に当るが、海水の流れと、海水受板の角度が４５°以上と成り海水を受けて、上下、する動きよりも、横へ押す海水の力が大きく成り、海水受板や、シーソー装置全体を破壊する恐れが有る。
又海水の流れと海水受板の角度を４５°以下にすると、海水受板に海水が当るのに無理がなく、当った海水受板の傾斜の下側をくぐり抜ける、装置全体の破壊や、一定方向の回転に影響を与えない、シーソー型波力発電装置で有る。
【０００９】
海中に、シーソー型装置本体と向き合って建たクランクシャフト軸受台の形を友に、海水の流れに抵抗の少ない形状として建た、又海中のクランクシャフトによって上下の往復運動を海面上の装置のクランクで回転力に変える時にクランクの上死点と、下死点で回転が一時的に途切れる恐れが有るのでフライホイルを使って、円滑な回転力と成って回転力を安定させた。
【発明の効果】
【００１０】
本発明は、動力元の装置が海中に有り、発電部を海面上に置く構造とした装置が簡単な為に、外から各く部所が良く見えるし、点検や、メンテナンスがしやすい。海水受板を横へ長く取り又装置全体を大きくする事ができ大型化しやすく、装置本体を数機並べて使用する事ができる。
【図面の簡単な説明】
【００１１】
【図１】本発明のシーソー型波力発電装置の正面図
【図２】同発明装置の側面図
【図３】同発明装置の図２、におけるＡ−Ａ′線断面図その１
【図４】同発明装置の図２、におけるＡ−Ａ′線断面図その２
【図５】同発明装置の図２、におけるＢの拡大面
【図６】同発明装置の図４、における平面図
【発明を実施するための形態】
【００１２】
以下、本発明の実施の形態として、添付図面参照して説明する。
【実施例１】
【００１３】
図１は、右へ流れる海水の力によって、シーソー本体２の右側の海水受板１の上の面に海水が当り、下の方へと押し下げる作用力１５によりシーソー本体２が動く状態を現す、又左側はシーソー本体ベース４近くの海水が海水受板１の下の面に押し上げ様とする海水による作用力１５を現す、又Ｄ４は海水が海水受板１に当る角度の一番大きい時の角度４５°以上の角度だと、海が荒れた時に、海水受板１が上下する動きよりも、海水の横へと押す力が大きく成り、海水受板１やシーソー本体２を破壊する恐れが有るので、海水が海水受板１に当る角度を４５°以下Ｄを現す。
シーソー本体２の上下運動を、クランクシャフト接続支点１１により、海面１４上の装置に、クランクシャフト５から伝わった上下の往復運動を、クランク支点７に伝え、クランク６により回転運動に変えるが、往復運動に変える時クランク６の、上死点と、下死点により回転力が安定しないで一時的に途切れる恐れが有るので、フライホイル９で円滑な回転と回転力の安定を計った。
安定した回転力を変速機付発電機１０で回転比率を上げて発電効率を上げた。
【００１４】
図２は、側面図で左端のクランクシャフト軸受台１２が海中より出て左側のクランク６の回転力と、右側のクランク６の回転力の伝わるクランクシャフト軸８を軸受１６で受ける、又右端のシーソー型装置本体１３も海中より出して直接波を被らない様にした装置に、海中より出したクランクシャフト５の往復運動をクランク６で受けて回転力に変えて発電する装置を上部に設置した。
【００１５】
図３は、海水が左へと流れる、図１と、反対の海水の動きによって、左側の海水受板１の上の面に海水の流れが当り、下の方へと押し下げる作用力１５によりシーソー本体２が動く状態を現す、又右側はシーソー本体ベース４の近くの海水が、海水受板１の下の面に押し上げ様とする海水による作用力１５を現す。
海水受板１をシーソー本体２の両側に取り付けた海水受板１と海水の当る角度にする為にシーソー本体２の中央の角度を１３５°〜１６０°Ｃの角度とした、シーソー本体２の上下の往復運動を、クランクシャフト接続支点１１により、クランクシャフト５で海面１４上の装置へと伝える。
【００１６】
図４は、シーソー本体２の中間の動きと海面１４上のクランクシャフト５によって伝えた上下の往復運動を回転力に変えるクランク６の動きを現す。
【００１７】
図５は、図２の拡大図でクランクシャフト５によって、クランク６とクランク支点７により回転力に成るクランク６の動きを、円滑な回転に成る様にフライホイル９を使って回転を安定させた装置と左側のクランク６の回転力を中間のクランクシャフト軸８の回転力を、変速機付発電機１０で発電する、往復運動が回転力に成る装置の拡大を現す。
【００１８】
図６は、図４の動きを現す平面図で有り、海中に設置のクランクシャフト軸受台１２の海水の抵抗を少なくする形状を現す、又シーソー型装置本体１３の海水の抵抗を少なくする形状も現す。
左側の軸受１６でクランクシャフトの軸８を受けて、又クランク６の回転力を伝えるクランクシャフト軸８で右側のクランク６の回転力と両側の回転力を合せた回転力を、フライホイル９で変速機付発電機１０で発電する装置を現す。
【産業上の利用可能性】
【００１９】
自然エネルギー促進と資源の保護にも良く地球の環境にやさしい大気汚染のＣＯ２を出さない、産業上大いに期待が持てるし経済効果が有る。
【符号の説明】
【００２０】
１    海水受板                        ２    シーソー本体
３    シーソー本体支点                ４    シーソー本体ベース
５    クランクシャフト                ６    クランク
７    クランク支点                    ８    クランクシャフト軸
９    フライホイル                    １０  変速機付発電機
１１  クランクシャフト接続支点        １２  クランクシャフト軸受台
１３  シーソー型装置本体              １４  海面
１５  作用力                          １６  軸受
【図１】
2011169223.tif 000003
【図２】
2011169223.tif 000004
【図３】
2011169223.tif 000005
【図４】
2011169223.tif 000006
【図５】
2011169223.tif 000007
【図６】
2011169223.tif 000008